(57)【特許請求の範囲】
【請求項１】
牽引車で牽引又は自走により畑を前進する機体の前下部に畦土の農作物を掘起する掘取スキを設け、掘取スキ後方の機体位置に掘起した農作物を掘り上げて土をふるい落としながら後上方へ搬送する傾斜コンベヤを設け、傾斜コンベヤ下方の機体後部位置に掘起後の畦土を回転駆動により整地する広幅の接地ローラーを設け、傾斜コンベヤで搬送した農作物を後上方から整地後の畦土上へ落下させて収穫可能な状態にする農作物掘取機において、前記接地ローラーを脱着可能にし、しかも接地ローラーの脱着構造が、接地ローラーの一方の軸端に軸受部を途中位置に備えた操作レバーを接地ローラーが回転できるように基端部で一体的に取り付け、操作レバーの軸受部に挿入して操作レバーを回転可能に支持する支持軸を機体に突設し、接地ローラーの他方の軸端を挿入して駆動力を伝達する駆動軸支部を機体に揺動自在に設け、操作レバーを所定角度で掛止する複数の掛止溝を備えたストッパーを機体に設け、操作レバーで接地ローラーを揺動させて畦土からの高さを変更できるようにするとともに操作レバーと接地ローラーを一体で脱着できるようにしたものであることを特徴とする、農作物掘取機。
【請求項２】
機体の支持軸が駆動軸支部の揺動と連動するシャフトの軸端であって、同軸端に係合キーを形成し、同係合キーに嵌合して機体の一部と係止する固定具を備え、接地ローラーの取り外し時に駆動軸支部の揺動を固定できるようにした、請求項１記載の農作物掘取機。
【請求項３】
接地ローラーの取り外し後の駆動軸支部に脱着自在に取り付ける保護キャップを備えた、請求項１又は２記載の農作物掘取機。
【発明の詳細な説明】
【技術分野】
【０００１】
本発明は、掘起して掘り上げた農作物を接地ローラーで整地した畦土上へ落下させて収穫可能な状態にする農作物掘取機に関する。
【背景技術】
【０００２】
従来、牽引車で牽引されながら畑を前進する機体の前下部に畦土の農作物を掘起する掘取スキを設け、掘取スキ後方の機体位置に掘起した農作物を掘り上げて土をふるい落としながら後上方へ搬送する傾斜コンベヤを設け、傾斜コンベヤ下方の機体後部位置に掘起後の畦土を回転駆動により整地する広幅の接地ローラーを設け、傾斜コンベヤで搬送した農作物を後上方から整地後の畦土上へ落下させて収穫可能な状態にする農作物掘取機が特許文献１〜３で提案されている。
【０００３】
ところで、前記技術では畦土が乾燥している場合は優れた作業性を発揮できるが、降雨で畦土が湿っている場合はふるい落とされた土が摩擦抵抗の増加により接地ローラーの前方で徐々に滞留して整地され難くなり、牽引車への負荷が増加して燃料消費率が悪化するという問題があった。また、土が大量に滞留して機体の前進が困難となった場合はその都度作業を中断して滞留した土を除去しなければならず、面倒な作業で能率が悪いという問題があった。
【特許文献１】実公平１−６６７０号公報
【特許文献２】実公平２−２６２５７号公報
【特許文献３】実用新案登録第２５９０４８６号公報
【発明の開示】
【発明が解決しようとする課題】
【０００４】
本発明が解決しようとする課題は、従来のこれらの問題点を解消し、畦土の状態に応じて接地ローラーを脱着することで、省燃費で能率的に作業できるようにした農作物掘取機を提供することにある。
【課題を解決するための手段】
【０００５】
かかる課題を解決した本発明の構成は、
１）  牽引車で牽引又は自走により畑を前進する機体の前下部に畦土の農作物を掘起する掘取スキを設け、掘取スキ後方の機体位置に掘起した農作物を掘り上げて土をふるい落としながら後上方へ搬送する傾斜コンベヤを設け、傾斜コンベヤ下方の機体後部位置に掘起後の畦土を回転駆動により整地する広幅の接地ローラーを設け、傾斜コンベヤで搬送した農作物を後上方から整地後の畦土上へ落下させて収穫可能な状態にする農作物掘取機において、前記接地ローラーを脱着可能にし、しかも接地ローラーの脱着構造が、接地ローラーの一方の軸端に軸受部を途中位置に備えた操作レバーを接地ローラーが回転できるように基端部で一体的に取り付け、操作レバーの軸受部に挿入して操作レバーを回転可能に支持する支持軸を機体に突設し、接地ローラーの他方の軸端を挿入して駆動力を伝達する駆動軸支部を機体に揺動自在に設け、操作レバーを所定角度で掛止する複数の掛止溝を備えたストッパーを機体に設け、操作レバーで接地ローラーを揺動させて畦土からの高さを変更できるようにするとともに操作レバーと接地ローラーを一体で脱着できるようにしたものであることを特徴とする、農作物掘取機
２）  機体の支持軸が駆動軸支部の揺動と連動するシャフトの軸端であって、同軸端に係合キーを形成し、同係合キーに嵌合して機体の一部と係止する固定具を備え、接地ローラーの取り外し時に駆動軸支部の揺動を固定できるようにした、前記１）記載の農作物掘取機
３）  接地ローラーの取り外し後の駆動軸支部に脱着自在に取り付ける保護キャップを備えた、前記１）又は２）記載の農作物掘取機
にある。
【発明の効果】
【０００６】
本発明によれば、畦土が乾燥している場合は接地ローラーで整地しながら作業し、畦土が湿っている場合は接地ローラーを取り外して作業する。従って、畦土がどのような状態でも接地ローラーの脱着により牽引車の燃料消費率を悪化させり作業を中断したりすることなく、省燃費で能率的に作業できるようになる。特に請求項２記載の構成によれば、接地ローラーの脱着が極めて容易であり、脱着に時間を要することなく更に能率的に作業できるようになる。さらに、幅や外径の異なる接地ローラーを複数用意して畦土の大きさや状態に応じて柔軟に使い分けることもできる。
【発明を実施するための最良の形態】
【０００７】
本発明では、接地ローラーの取り外し後は駆動軸支部が下降して畦土と接触するから、駆動軸支部の揺動と連動するシャフトの軸端に係合キーを形成し、軸端の係合キーに嵌合して機体の一部と係止する固定具を具備し、接地ローラーの取り外し時に駆動軸支部を上方に揺動させた状態で固定するのが望ましい。接地ローラーの取り外し後の駆動軸支部には脱着自在の保護キャップを取り付けて土の付着を防止する。以下、本発明の実施例を図面に基づいて具体的に説明する。
【実施例１】
【０００８】
図１〜６に示す実施例は、農作物を掘起して掘り上げる農作物掘取機の例である。図１は実施例の農作物掘取機の左側面図、図２は実施例の農作物掘取機の右側面図、図３は実施例の接地ローラーの斜視図、図４は実施例の農作物の掘り取りを示す説明図、図５，６は実施例の接地ローラーの脱着を示す説明図である。
【０００９】
図中、１０は農作物掘取機、１１は機体、１２は駆動チェーン、１３は接地板、１４は掘取スキ、１５は傾斜コンベヤ、１６は土ふるい、１７はストッパー、１８は駆動軸支部、１８ａはキー溝、１９はシャフト、１９ａは係合キー、１９ｂはピン、１９ｃはバネ、２０は接地ローラー、２１は軸端、２１ａは係合キー、２２は操作レバー、２２ａは軸受部、３０は固定具、３０ａはキー溝、３０ｂはピン穴、３１は保護キャップ、４０，４１はネジ、４２はボルト、Ｇは畦土、Ｇａは土、Ｐは農作物である。
【００１０】
本実施例の農作物掘取機１０は、機体１１の前下部に畦土Ｇの農作物Ｐを掘起する掘取スキ１４を取り付け、掘取スキ１４の後方位置に掘起した農作物Ｐを掘り上げて土Ｇａを隙間からふるい落としながら後上方へ搬送する傾斜コンベヤ１５を取り付け、傾斜コンベヤ１５の下方後部位置に掘起後の畦土Ｇを回転駆動により整地する広幅の接地ローラー２０を脱着自在に取り付けている。傾斜コンベヤ１５と接地ローラー２０は牽引車の動力を駆動チェーン１２で伝達して作動させるようにしている。
【００１１】
接地ローラー２０の一方の軸端２１には途中位置に軸受部２２ａを備えた操作レバー２２を接地ローラー２０が回転できるように基端部で一体的に取り付け、接地ローラー２０の他方の軸端２１を挿入して駆動力を伝達する駆動軸支部１８を機体１１に揺動自在に設け、操作レバー２２の軸受部２２ａに挿入して操作レバー２２を回転可能に支持するシャフト１９を駆動軸支部１８の揺動基点と連結し、シャフト１９の突出した軸端に係合キー１９ａを形成し、操作レバー２２を所定角度で掛止する複数の掛止溝を備えたストッパー１７を機体１１の側面に設けている。
【００１２】
本実施例では、牽引車（図示せず）の駆動力で傾斜コンベヤ１５と接地ローラー２０を駆動し、機体１１が牽引車で牽引されながら接地板１３で畑を滑走する。畦土Ｇは掘取スキ１４で掘起して農作物Ｐが掘り上げられ、付着している土Ｇａが振動により剥がれて傾斜コンベヤ１５の隙間からふるい落とされながら後上方へ搬送される。並行して、掘起した畦土Ｇとふるい落とされた土Ｇａは接地ローラー２０で平坦に整地され、後上方へ搬送された農作物Ｐが整地された畦土Ｇ上に落下する。落下した農作物Ｐはその後に作業者が拾い上げて収穫される。
【００１３】
ここで、畦土Ｇが降雨で湿っている場合あるいは作業中に降雨で湿った場合は、摩擦抵抗の増加により畦土Ｇが整地されずに接地ローラー２０の前方で土Ｇａが徐々に滞留し、このままでは牽引車への負荷が増加して燃料消費率が悪化したり、作業を中断して土Ｇａを除去する手間が生じる。このような場合は、ボルト４２を緩めて接地ローラー２０と操作レバー２２を一体で取り外し、駆動軸支部１８とシャフト１９に固定具３０と保護キャップ３１をネジ４０で装着する。固定具３０は土ふるい１６を支持するバネ１９ｃを引掛けるためのピン１９ｂにピン穴３０ｂを挿入するとともに、キー溝３０ａをシャフト１９の軸端の係合キー１９ａに係合する。
【００１４】
このようにすることで、畦土Ｇは接地ローラー２０がないから整地されないが、牽引車への負荷が増加せず、土Ｇａの除去のために作業を中断する必要もない。また、駆動軸支部１８は固定具３０で機体１１に固定されているから下降せず、畦土Ｇと接触して引きずられことなく円滑に前進できる。作業中に畦土Ｇが乾燥してくると、固定具３０と保護キャップ３１を取り外して接地ローラー２０と操作レバー２２をボルト４２で短時間で取り付け、整地しながら作業する。
【００１５】
このように、本実施例によれば畦土Ｇが乾燥している場合は接地ローラー２０で整地しながら作業し、畦土Ｇが湿っている場合は接地ローラー２０を取り外して作業することで、畦土Ｇがどのような状態でも接地ローラー２０を短時間に容易に脱着することにより牽引車の燃料消費率を悪化させたり作業を中断したりすることなく、省燃費で能率的に作業できるようになった。
【産業上の利用可能性】
【００１６】
本発明の農作物掘取機は、馬鈴薯，里芋，さつまいも，タマネギ，にんにく等の収穫作業に有用である。
【図面の簡単な説明】
【００１７】
【図１】実施例の農作物掘取機の左側面図である。
【図２】実施例の農作物掘取機の右側面図である。
【図３】実施例の接地ローラーの斜視図である。
【図４】実施例の農作物の掘り取りを示す説明図である。
【図５】実施例の接地ローラーの脱着を示す説明図である。
【図６】実施例の接地ローラーの脱着を示す説明図である。
【符号の説明】
【００１８】
１０  農作物掘取機
１１  機体
１２  駆動チェーン
１３  接地板
１４  掘取スキ
１５  傾斜コンベヤ
１６  土ふるい
１７  ストッパー
１８  駆動軸支部
１８ａ  キー溝
１９  シャフト
１９ａ  係合キー
１９ｂ  ピン
１９ｃ  バネ
２０  接地ローラー
２１  軸端
２１ａ  係合キー
２２  操作レバー
２２ａ  軸受部
３０  固定具
３０ａ  キー溝
３０ｂ  ピン穴
３１  保護キャップ
４０，４１  ネジ
４２  ボルト
Ｇ  畦土
Ｇａ  土
Ｐ  農作物
【図１】
0004706084.tif 000002
【図２】
0004706084.tif 000003
【図３】
0004706084.tif 000004
【図４】
0004706084.tif 000005
【図５】
0004706084.tif 000006
【図６】
0004706084.tif 000007